(57)【特許請求の範囲】
【請求項１】
刺繍縫い可能なミシンの刺繍可能範囲を越えた大きさの刺繍を行うため、長方形状の刺繍枠の各辺にミシンへの取付部を設け、ミシシに取り付ける取付部を変更することにより、ミシンと刺繍枠との相対位置を変更するとともに、刺繍枠に対する縫い方向を変更するミシン用の刺繍データを作成する刺繍データ作成装置であって、
刺繍可能範囲を超えた大きさの画像のデ-タを与えるための手段と、該画像を刺繍可能範囲とするために、ミシンに取り付ける取付部の変更により刺繍位置となる区画に対応した複数の画像に分割するための手段と、該分割された画像に基づいて、各区画毎の縫い方向に応じた縫い目データを生成するための手段と、前記分割された夫々の画像の縫いを制御するための制御データを生成するための手段と、前記分割された１の画像の縫い目形成と他の画像の縫い目形成との間に夫々の刺繍形成位置となる区画に対応させるために、取付部を変更して刺繍枠の相対位置変更する告知を行うための告知データを生成するための手段と、生成した前記縫目データと制御データと告知データとを貯えるための手段と、を備えた刺繍データ作成装置。
【請求項２】
刺繍縫い可能なミシンの刺繍可能範囲を越えた大きさの刺繍を行うため、長方形状の刺繍枠の各辺にミシンへの取付部を設け、ミシンに取り付ける取付部を変更することにより、ミシンと刺繍枠との相対位置を変更するとともに、刺繍枠に対する縫い方向を変更するミシン用の刺繍データを作成する刺繍データ作成装置であって、
刺繍を行う画像のデータを与えるための手段と、該画像を刺繍可能範囲を超えた大きさの画像のデータに拡大するための手段と、該拡大した画像を刺繍可能とするために、ミシンに取り付ける取付部の変更により刺繍位覆となる区画に対応した複数の画像に分割するための手段と、該分割された画像に基づいて、各区画毎の縫い方向に応じた縫い目データを生成するための手段と.前記分割された夫々の画像の縫いを制御するための制御デ-タを生成するための手段と、前記分割された１の画像の縫い目形成と他の画像の縫い目形成との間に夫々の刺繍形成位置となる区画に対応させるために、取付部を変更して刺繍枠の相対位置変更する告知を行うための告知データを生成するための手段と、生成した前記縫目データと制御データと告知データとを貯えるための手段と、を備えた刺繍データ作成装置。
【発明の詳細な説明】
【０００１】
【発明の属する技術分野】
この発明は、刺繍縫い可能なミシン等に供給する刺繍データを生成するための刺繍データ作成装置に関する。
【０００２】
【従来の技術】
近年ミシンに刺繍縫いを行わせる機能を備えた刺繍縫い可能なミシンが普及している。
刺繍縫い可能なミシンにより刺繍を行う場合、刺繍可能な範囲はミシンの機械的な可動範囲に限定される問題がある。即ち、ミシンには立上り部があり、そのため可動範囲が狭い範囲に制限され、布を支持する刺繍枠もこの可動範囲に応じた小さいものになり、刺繍可能な模様の大きさはこの刺繍枠の大きさに限定される。
このような刺繍模様の大きさの限界を解消するために、大型の刺繍枠を用い、この刺繍枠の位置を変えつつ刺繍枠全体に刺繍を行う構成のものが提案されている。
【０００３】
【発明が解決しようとする課題】
しかし、上記のような構成の刺繍ミシンに用いられる縫い目データは従来より装置メーカ等により供給されており、ユーザが好みの原画に基づいて大型の刺繍縫い目データを作成することは出来なかった。即ち、従来よりスキャナ等により原画を読み込み、該画像に基づいて縫い目データを作成する装置は既に実用化され、市販されているが、これらはいずれも大きさが限定された標準の刺繍枠に対応する縫い目データしか生成できず、上記したように大型の刺繍枠に対応する縫い目データを作成できる装置は現在まで提供されていない。
本発明は上記従来技術の問題を解決することを目的とする。
【０００４】
【課題を解決するための手段】
上記目的を達成するために、本発明は刺繍縫い可能なミシンの刺繍可能範囲を越えた大きさの刺繍を行うため、長方形状の刺繍枠の各辺にミシンへの取付部を設け、ミシシに取り付ける取付部を変更することにより、ミシンと刺繍枠との相対位置を変更するとともに、刺繍枠に対する縫い方向を変更するミシン用の刺繍データを作成する刺繍データ作成装置であって、刺繍可能範囲を超えた大きさの画像のデ-タを与えるための手段と、該画像を刺繍可能範囲とするために、ミシンに取り付ける取付部の変更により刺繍位置となる区画に対応した複数の画像に分割するための手段と、該分割された画像に基づいて、各区画毎の縫い方向に応じた縫い目データを生成するための手段と、前記分割された夫々の画像の縫いを制御するための制御データを生成するための手段と、前記分割された１の画像の縫い目形成と他の画像の縫い目形成との間に夫々の刺繍形成位置となる区画に対応させるために、取付部を変更して刺繍枠の相対位置変更する告知を行うための告知データを生成するための手段と、生成した前記縫目データと制御データと告知データとを貯えるための手段と、を備えた刺繍データ作成装置とすることで課題を解決した。
また本発明は、刺繍縫い可能なミシンの刺繍可能範囲を越えた大きさの刺繍を行うため、長方形状の刺繍枠の各辺にミシンへの取付部を設け、ミシンに取り付ける取付部を変更することにより、ミシンと刺繍枠との相対位置を変更するとともに、刺繍枠に対する縫い方向を変更するミシン用の刺繍データを作成する刺繍データ作成装置であって、刺繍を行う画像のデータを与えるための手段と、該画像を刺繍可能範囲を超えた大きさの画像のデータに拡大するための手段と、該拡大した画像を刺繍可能とするために、ミシンに取り付ける取付部の変更により刺繍位覆となる区画に対応した複数の画像に分割するための手段と、該分割された画像に基づいて、各区画毎の縫い方向に応じた縫い目データを生成するための手段と.前記分割された夫々の画像の縫いを制御するための制御デ-タを生成するための手段と、前記分割された１の画像の縫い目形成と他の画像の縫い目形成との間に夫々の刺繍形成位置となる区画に対応させるために、取付部を変更して刺繍枠の相対位置変更する告知を行うための告知データを生成するための手段と、生成した前記縫目データと制御データと告知データとを貯えるための手段と、を備えた刺繍データ作成装置とすることで課題を解決した。
【０００５】
【発明の実施の形態】
以下本発明の実施の形態を図面に基づいて説明する。
図１において、中央演算処理装置１は操作指令装置１４からのユーザの指令に基づいてイメージスキャナ２からの画像データを入力し、画像データ記憶装置７に記憶すると共に、表示データ生成装置１０により表示データが生成され、表示装置１３に該画像を表示するようになっている。図２に示すように走査プレート１６上に原画Ｇを置き、イメージスキャナ２により原画Ｇ上を走査して原画Ｇを読み取る構成になっている。
画像データ記憶装置７に記憶された画像データは縫い目データ生成装置９において、縫い目データに変換され、同時に表示データ生成装置１０において刺繍ミシン等における該画像の表示データが生成される。更に、該縫い目データに基づく種々の制御データが制御データ生成装置１１において生成され、これらのデータをメモリカード１５に記憶させるように構成されている。メモリカード１５はこの刺繍データ作成装置に装脱可能になっており、図２に示すようにスロットルＳに装脱して使用するようになっている。このメモリカード１５を刺繍ミシン等の刺繍機に装着して、イメージスキャナ２にから入力した画像データに基づく刺繍を行うようになっている。
成されている。
【０００６】
図３は原画Ｇの一例を示すもので、刺繍可能範囲Ｋを越える大きさを有するものとする。以下は原画Ｇをイメージスキャナ２により読み取る場合について説明するが、原画Ｇが他の記憶媒体などから入力した画像データであっても、原理は同じである。また、模様拡大装置６により刺繍可能範囲Ｋを越える大きさの画像データを生成した場合も同じである。
図３に示すように原画Ｇは刺繍可能範囲Ｋ４つ分の大きさをもっており、これを刺繍する際には▲１▼〜▲４▼の４つの区画に分けて刺繍縫いする必要がある。
【０００７】
ユーザは予め原画Ｇを分図Ｍ１からＭ４の４つの原画Ｇに分けて用意し、スライド入力指定装置３を走査してスライド入力である旨の指定をし、次いでステップ／一体指定装置４によりステップ入力の指定をした後、各分図Ｍを走査プレート１６に載置し、イメージスキャナ２により順次読み取らせるように構成されている。イメージスキャナ２による読み取り方向は各区画毎に一定の方向に定める必要があり、この実施形態では図３の矢印に示すように全ての区画において同一の方向としている。
縫い目データ生成装置９が各区画▲１▼〜▲４▼毎に縫い目データを生成し、同時に表示データ生成装置１０において表示データが生成され、制御データ生成装置１１において制御データが生成される。そして、刺繍実行に際して、区画と区画の間に刺繍枠の取り付け位置の変更を促すスライド指示の告知データを生成する。これらのデータはメモリカード１５に格納されて刺繍ミシン等に装着されるようになっている。
【０００８】
ここで、メモリカード１５のデータを使用する刺繍ミシンについて説明しておく。
図６に示すように、Ｘ−Ｙ方向に移動可能なキャリッジ３９を備えており、ここにボルトにより刺繍枠２０を装着するようになっている。この刺繍枠２０に刺繍対象物である布Ｆを保持してＸ−Ｙ方向に移動させることにより刺繍縫いを行うようになっている。この刺繍枠２０の移動はキャリッジ３９の可動範囲と刺繍枠２０周辺の物理的な制約により制限される。即ち、ミシン本体においては前後方向には障害物はないが、横方向に立上り部が存在し、この立上り部のために刺繍枠２０の横方向の移動が制限される。
【０００９】
刺繍枠２０は、ここでは通常の４倍の大きさになっており、キャリッジ３９との取り付け部を４カ所設けて使用するようになっている。
図７に示すように刺繍枠２０は横長の長方形を形成しており、各辺の右隅に▲１▼から▲４▼までの４個の取付孔２１を設け、キャリッジ３９にボルトにより締結するように構成されている。
この取付孔２１により布Ｆの刺繍エリアは、前記した区画▲１▼〜▲４▼に対応する４つのエリアに分割されて縫われるようになっている。
即ち、図８において点線で示すように４つの刺繍可能範囲Ｋである区画▲１▼〜▲４▼は▲１▼〜▲４▼の取付孔２１に対応するようになっている。
そして図８の（Ａ）は、区画▲１▼の刺繍を実行する場合の位置を示し、図６に示すように▲１▼の取付孔２１をキャリッジ３９に固定して刺繍縫いを行うようになっている。図中矢印は縫い方向を示しており、図３の走査方向と異なることがわかる。縫い目データ生成装置９は各区画毎の縫い方向に応じて縫い目データを形成するように構成されている。
なお図８（Ｂ）は区画▲２▼、（Ｃ）は区画▲３▼、（Ｄ）は区画▲４▼をそれぞれ刺繍縫いする時の位置を示している。図７は図８の（Ｄ）に該当している。
【００１０】
このように、上記刺繍ミシンでは刺繍枠２０を順次回転させて刺繍縫いを実行させることにより、刺繍可能範囲Ｋの４倍の大きさの刺繍枠２０を用いて刺繍縫いを行えるようになっており、このような刺繍ミシンに用いるためのデータを図１に示す刺繍データ作成装置により生成できるようになっている。
従って、対応する刺繍ミシンに応じて２区画のデータ生成であったり、或いは多区画の縁縫いデータ生成であったり、種々の態様が可能である。
また、画像を分割する区画の数や分割方法を指定する構成を設けることも可能である。
【００１１】
図４により動作を説明する。ここでは簡単のため、２区画に分割する場合を説明する。
スライド入力指定装置３によりスライド入力指定があり（ステップＳ１）、ユーザが原画Ｇを２ステップに分割して、イメージスキャナ２に読取を行わせると、最初に第１ステップの画像を取り込み（ステップＳ３）、該画像データに基づいて縫い目データと表示データを生成する（ステップＳ４）。同時に制御データを生成する（ステップＳ５）。次に第２ステップ画像を取り込み（ステップＳ６）、同様に縫い目データと表示データを生成し（ステップＳ７）、制御データを生成する（ステップＳ８）。そして、第１と第２の画像を合成して表示するデータを生成し（ステップＳ９）、刺繍ミシン等において、第１画像と第２画像の縫いの間にスライド指示告知を行うためのデータを生成し（ステップＳ１０）、これら生成したデータをメモリカード１５に記憶させる（ステップＳ１１）。ステップＳ１でスライド入力でない場合には、単純に画像を取り込み（ステップＳ１２）、模様の縫い目データと表示データを生成し（ステップＳ１３）、更に制御データを生成して（ステップＳ１４）、これらのデータをメモリカード１５に記憶する。
以上の構成により刺繍可能範囲Ｋを越えた大きさの原画Ｇを分割してイメージスキャナ２により入力し、原画Ｇに基づく大きさの模様を刺繍縫いするための縫い目データ、表示データ、制御データ及びスライド指示告知データとを生成できる。
【００１２】
なお、上記では原画Ｇを分割して入力する場合について説明したが、刺繍可能範囲Ｋを越える大きさの原画Ｇをそのままスキャナ等により入力したり、或いは刺繍可能範囲Ｋの範囲内の小さな原画Ｇをイメージスキャナ２により入力し模様拡大装置６により拡大して刺繍可能範囲Ｋを越える画像データを得た場合にも、画像を分割して縫い目データ等のデータを生成することが可能である。
スライド入力指定装置３によりスライド指定をした後、ステップ／一体指定装置４により一体読み込みを指定することにより、１ステップで読み込んだ原画Ｇを模様拡大装置６により拡大して、該拡大画像を分割するモードに入るようになっている。
【００１３】
この動作を図５により説明する。ここでは簡単のため、画像を２つに分割する場合について説明する。
スライド入力指定装置３によりスライド入力指定があると（ステップＳ２０）、刺繍可能範囲Ｋの範囲を超えた画像を取り込み（ステップＳ２１）、該画像の表示データを生成し（ステップＳ２２）、該模様全体を表示する（ステップＳ２３）。そして、分割位置指定装置５によりユーザが分割位置を指定すると（ステップＳ２４）、該指定された位置に応じて画像の分割を行い、最初に第１ステップの画像データに基づいて縫い目データと表示データを生成する（ステップＳ２５）。同時に制御データを生成する（ステップＳ２６）。次に第２ステップ画像データに基づいて、同様に縫い目データと表示データを生成し（ステップＳ２７）、制御データを生成する（ステップＳ２８）。そして、刺繍ミシン等において、第１画像と第２画像の縫いの間にスライド指示告知を行うためのデータを生成し（ステップＳ２８）、これら生成したデータをメモリカード１５に記憶させる（ステップＳ２９）。ステップＳ２０でスライド入力でない場合には、単純に画像を取り込み（ステップＳ３１）、模様の縫い目データと表示データを生成し（ステップＳ３２）、更に制御データを生成して（ステップＳ３３）、これらのデータをメモリカード１５に記憶する。
以上の構成により、刺繍可能範囲Ｋを越えた大きさの画像の模様を刺繍縫いするための縫い目データ、表示データ、制御データ及びスライド指示告知データとを生成できる。
【００１４】
【発明の効果】
以上説明したように本発明の刺繍データ作成装置によれば、刺繍可能範囲Ｋを越えた大きさの画像データに基づいて縫い目データ、表示データ及び制御データとスライド指示告知データを生成することが可能であり、これらのデータに基づいて刺繍可能範囲Ｋを越える画像の刺繍縫いを行わせることが可能になる。
【図面の簡単な説明】
【図１】本発明の一実施形態を示す機能ブロック図。
【図２】本発明の一実施形態の外観を示す斜視図。
【図３】本発明の一実施形態の動作説明図。
【図４】本発明の一実施形態の動作を説明するフローチャート図。
【図５】本発明の一実施形態の他の動作を示すフローチャート図。
【図６】本発明の一実施形態におけるデータを使用して刺繍縫いを行う刺繍ミシンの一例を示す外観斜視図。。
【図７】本発明の一実施形態におけるデータを使用して刺繍縫いを行う刺繍ミシンの一例を示す外観斜視図。。
【図８】刺繍ミシンの縫いの一例を示す説明図。
【符号の説明】
１：中央演算処理装置、２：イメージスキャナ、３：スライド入力指定装置、４：ステップ／一体指定装置、５：分割位置指定装置、６：模様拡大装置、７：画像データ記憶装置、８：一時記憶装置、９：縫い目データ生成装置、１０：表示データ生成装置、１１：制御データ生成装置、１２：スライド指示告知データ生成装置、１３：表示装置、１４：操作指令装置、１５：メモリカード、１６：走査プレート、２０：刺繍枠、２１：取付孔、３９：キャリッジ。
【図１】
0004338107.tif 000002
【図２】
0004338107.tif 000003
【図３】
0004338107.tif 000004
【図４】
0004338107.tif 000005
【図５】
0004338107.tif 000006
【図６】
0004338107.tif 000007
【図７】
0004338107.tif 000008
【図８】
0004338107.tif 000009